(57)【特許請求の範囲】
【請求項１】
残度データが記録され、かつ、当該残度データの目安となる複数の数値が一連表示されたカードを受け入れて、当該カードの一連表示に沿って予め定められたカード上の複数のマーク位置のうち、前記残度データに対応するマーク位置に目視可能なマーク付けを行うカード処理装置であって、
前記マーク付けがされる複数のマーク位置は共通するが、各マーク位置のマーク付けに必要な残度データの条件が相互に相違する複数のカードごとに、各カードの種類を示す種類コードおよび各マーク位置のマーク付けに必要な残度データの条件を記憶するテーブルと、
前記テーブルによって記憶されていない種類のカードについて、当該カードの種類を示す種類コードおよび各マーク位置のマーク付けに必要な残度データの条件を受け付けて、前記テーブルに登録する登録手段と、
前記カードに記録された残度データおよび種類コードを読み取る読み取り手段と、
前記テーブルを参照し、前記複数のマーク位置のなかから、前記読み取り手段によって読み取った種類コードおよび残度データに対応するマーク位置を取得する取得手段と、
前記取得手段によって取得されたマーク位置に対応する前記カード上のマーク位置に前記目視可能なマーク付けを行うマーク処理手段と、
を備えたことを特徴とするカード処理装置。
【請求項２】
前記取得手段によって取得されたマーク位置と、前記カードに既にマーク付けされているマーク位置とを比較して、両者のマーク位置が一致するか否かを判定し、両者のマーク位置が一致する場合に、前記カードに記録された残度データが正しいと判定する判定手段をさらに備えたことを特徴とする請求項１に記載のカード処理装置。
【発明の詳細な説明】
【０００１】
【産業上の利用分野】
本発明は多種類の残度目安マークをもつプリペイドカードの読み書きを行うことができるカード処理装置に関するものである。
【０００２】
【従来の技術】
従来のテレホンカード、プリペイドカード等のカードには、カード上に残額情報や残度数等の価値情報について、大まかな値を目視により判別できるように、カード上に物理的な印を付けて表示している。
【０００３】
【発明が解決しようとする課題】
しかしながら、この残度目安を示すマークは、全てのプリペイドカードに同一でなく、発行元によって異なるものもあったため、異なる残度目安マークをもつプリペイドカードを導入すると、その都度導入したプリペイドカードに応じたカード端末を開発する必要があった。
【０００４】
また、異なった店舗に導入されたプリペイドカードが磁気記録方式、磁気トラックの本数等の条件が同じであっても、残度目安マークが異なるだけで異なる店舗との間でカードの共用ができずプリペイドカードの特徴である利便性が生かせない場合があった。
【０００５】
本発明は、上記の点に鑑み提案されたものであり、その目的とするところは、異なる種類のプリペイドカードを一台のカード処理端末で汎用的に処理できるようなシステムを提供することにある。
【０００６】
【課題を解決するための手段】
そこで本発明のカード処理装置は、残度データが記録され、かつ、当該残度データの目安となる複数の数値が一連表示されたカードを受け入れて、当該カードの一連表示に沿って予め定められたカード上の複数のマーク位置のうち、前記残度データに対応するマーク位置に目視可能なマーク付けを行うカード処理装置であって、前記マーク付けがされる複数のマーク位置は共通するが、各マーク位置のマーク付けに必要な残度データの条件が相互に相違する複数のカードごとに、各カードの種類を示す種類コードおよび各マーク位置のマーク付けに必要な残度データの条件を記憶するテーブルと、前記テーブルによって記憶されていない種類のカードについて、当該カードの種類を示す種類コードおよび各マーク位置のマーク付けに必要な残度データの条件を受け付けて、前記テーブルに登録する登録手段と、前記カードに記録された残度データおよび種類コードを読み取る読み取り手段と、前記テーブルを参照し、前記複数のマーク位置のなかから、前記読み取り手段によって読み取った種類コードおよび残度データに対応するマーク位置を取得する取得手段と、前記取得手段によって取得されたマーク位置に対応する前記カード上のマーク位置に前記目視可能なマーク付けを行うマーク処理手段と、を備えたことを特徴とする。
【０００７】
また、本発明のカード処理装置は、上記の発明において、前記取得手段によって取得されたマーク位置と、前記カードに既にマーク付けされているマーク位置とを比較して、両者のマーク位置が一致するか否かを判定し、両者のマーク位置が一致する場合に、前記カードに記録された残度データが正しいと判定する判定手段をさらに備えたことを特徴とする。
【０００８】
【作用】
本発明のカード処理装置では、マーク付けがされる複数のマーク位置は共通するが、各マーク位置のマーク付けに必要な残度データの条件が相互に相違する複数のカードごとに、各カードの種類を示す種類コードおよび各マーク位置のマーク付けに必要な残度データの条件をテーブルに記憶する。
【０００９】
また、テーブルによって記憶されていない種類のカードについて、当該カードの種類を示す種類コードおよび各マーク位置のマーク付けに必要な残度データの条件を受け付けて、テーブルに登録する。
【００１０】
また、カードに記録された残度データおよび種類コードを読み取る。また、テーブルを参照し、複数のマーク位置のなかから、読み取った種類コードおよび残度データに対応するマーク位置を取得する。そして、取得されたマーク位置に対応するカード上のマーク位置に目視可能なマーク付けを行う。
【００１１】
また、本発明のカード処理装置では、取得されたマーク位置と、カードに既にマーク付けされているマーク位置とを比較して、両者のマーク位置が一致するか否かを判定し、両者のマーク位置が一致する場合に、前記カードに記録された残度データが正しいと判定する。
【００１２】
【実施例】
以下、本発明の実施例について図面を参照して説明する。
【００１３】
図１は、残度目安マークの付されたプリペイドカード１０の外観図であり、（ａ）は度数１０５、（ｂ）は度数３，０００円のプリペイドカード１０を表している。
【００１４】
図２は、本発明を適用したカード処理端末２０の一実施例を示す機能ブロック図であり、残度目安マークとしてパンチ孔開孔位置を採用した場合による例である。
【００１５】
図２においてカード処理端末２０は、プリペイドカード１０の取り込み・排出・内部移動を行うカード搬送部２１ａと、カードの磁気情報、パンチ情報等のデータを読み取る磁気読み書き部２１ｂと、パンチ孔情報を読み取るパンチ孔読取部２１ｃとを備えたカード処理部２１と、読み取った磁気情報を解析する磁気情報解析部２２と、異なる残度目安マークの情報をもつパンチフォーマット解析テーブル２４ａと個別の残度目安マークの詳細な情報が格納されている個別パンチフォーマットテーブル２４ｂからなるパンチ情報解析部２４と、磁気情報解析部２２にて解析されて得られた情報よりパンチ孔を穿孔するパンチ孔穿孔処理部２５と、プリペイドカード１０の磁気情報の書換えを行う磁気情報書換処理部２３と、各機能部の制御を行う統合制御部２６と、カード処理端末２０と上位のＰＯＳ端末等の装置とのインターフェイスをとるインターフェイス部２７とを備えている。
【００１６】
図３は、本発明のプリペイドカードのデータ記録エリア３０の内容の一例であり、発行会社のコードが格納されている発行元コード３２と、プリペイドカードの残度数が格納されている残度データ３３と、個々のカード残度目安マークの情報を”０”、”１”等にコード化したものが格納されているパンチフォーマットコードエリア３１とを含んでいる。
【００１７】
図４は、図２に記載されているパンチ情報解析部２４に格納されているパンチフォーマット解析テーブル２４ａを表しており、プリペイドカード１０のデータ記録エリアに書き込まれているパンチフォーマットコードと、そのコードに対応する”Ｐ０”，”Ｐ１”等のパンチフォーマットテーブルコードが書き込まれている。
【００１８】
図５は、図２に記載されているパンチ情報解析部２４に格納されている個別パンチフォーマットテーブル２４ｂの内部を表しており、個別のパンチフォーマットコードに対応した穿孔位置とそれに対応した条件が書き込まれている。
【００１９】
パンチフォーマットコードＰ０は、穿孔を行わないカードの情報であり、全ての穿孔位置に内容が書き込まれていない。
【００２０】
パンチフォーマットコードＰ１は、度数が１８，０００以上であり、穿孔位置のマークが８箇所あり、最初に使用した際に残度数が１８，０００以上ある場合に穿孔位置８に穿孔され、等間隔パンチ方法として３０００円間隔で使い切ったときに穿孔位置１にパンチ孔が穿孔される。
【００２１】
パンチフォーマットコードＰ２は、全体の残額に対する残額割合によりカードに穿孔する方法である。
【００２２】
図６はプリペイドカードのカード情報のリード処理について示したフローチャートである。
【００２３】
まずカード処理部２１にてプリペイドカード１０を取り込み（ステップＳ６１）、カード磁気情報を読取り（ステップＳ６２）、カードパンチ情報を読取る（ステップＳ６３）。
【００２４】
次に磁気情報解析部２２にてカード磁気情報の解析を行う（ステップＳ６４）。
【００２５】
磁気情報解析部２２にて解析されたデータより、パンチフォーマットコードをパンチフォーマット解析テーブル２４ａと参照していく（ステップＳ６５ａ、ステップ６５ｂ、ステップ６５ｃ）。
【００２６】
本実施例では、まずパンチフォーマットコードが０かどうかを参照する（ステップＳ６５ａ）。
【００２７】
パンチフォーマットコードが０であることが確認された時（ステップＳ６５ａのＹＥＳ）は、次の処理としてライト処理や精算処理等の他の処理へ移行する（ステップＳ６６）。
【００２８】
パンチフォーマットコードが０でないとき（ステップＳ６５ａのＮＯ）の時は次にパンチフォーマットコードが１かどうかの参照を行う（ステップＳ６５ｂ）。
【００２９】
パンチフォーマットコードが１であることが確認された時（ステップＳ６５ｂのＹＥＳ）は、次の処理として個別パンチフォーマットテーブル２４ｂの個別パンチテーブルＰ１を参照し、カード残度数より穿孔位置情報を取得し（ステップＳ６７ａ）、穿孔位置情報とパンチ孔情報を比較し（ステップＳ６８ａ）、穿孔位置情報の度数が正しい時（ステップＳ６８ａのＯＫ）は，その他の処理を行い（ステップＳ６６）、穿孔位置情報の度数が正しくない時（ステップＳ６８ａのＮＧ）は書き込みを行わず終了する。
【００３０】
パンチフォーマットコードが１でないとき（ステップＳ６５ｂのＮＯ）の時は次にパンチフォーマットコードが２かどうかの参照を行う（ステップＳ６５ｃ）。
【００３１】
パンチフォーマットコードが２であることが確認された時（ステップＳ６５ＣのＹＥＳ）は、次の処理として個別パンチフォーマットテーブル２４ｂの個別パンチテーブルＰ２を参照し、カード残度数より穿孔位置情報を取得し（ステップＳ６７ｂ）、穿孔位置情報がパンチ孔情報より正しいかどうかを比較し（ステップＳ６８ｂ）、穿孔位置情報が正しい時（ステップＳ６８ｂのＯＫ）は，その他の処理を行い（ステップＳ６６）、穿孔位置情報が正しくないとされた時（ステップＳ６８ｂのＮＧ）は改ざん等の異常有りとして終了する。
【００３２】
パンチフォーマットコードが２でないとき（ステップＳ６５ｃのＮＯ）の時はエラーとし（ステップＳ６９）終了する。
【００３３】
図７はプリペイドカードのカード情報のライト処理について示したフローチャートである。
【００３４】
まず磁気情報書換処理部２３において使用度数より残度数を計算しライトデータを作成し（ステップＳ７１）、磁気情報を書き換える（ステップＳ７２）。
【００３５】
次にパンチ情報解析部２４においてパンチフォーマットコードの内容を解析し、カードパンチ処理読を行う。
【００３６】
まず，情報解析部２２にて解析されたデータより、パンチフォーマットコードをパンチフォーマット解析テーブル２４ａと参照していく（ステップＳ７３ａ、ステップ７３ｂ、ステップ７３ｃ）。
【００３７】
本実施例では、まずパンチフォーマットコードが０かどうかを参照する（ステップＳ７３ａ）。
【００３８】
パンチフォーマットコードが０であることが確認された時（ステップＳ７３ａのＹＥＳ）は、本実施例ではカードフォーマットコードが０のカードは、パンチ孔の穿孔を行わないカードであるためそのまま終了する。
【００３９】
パンチフォーマットコードが０でないとき（ステップＳ７３ａのＮＯ）の時は次にパンチフォーマットコードが１かどうかの参照を行う（ステップＳ７３ｂ）。
【００４０】
パンチフォーマットコードが１であることが確認された時（ステップＳ７３ｂのＹＥＳ）は、次の処理として個別パンチフォーマットテーブル２４ｂの個別パンチテーブルＰ１を参照し、カード残度数より穿孔位置情報を取得し（ステップＳ７４ａ）、穿孔位置情報がパンチ孔情報より大きいかどうかを比較し（ステップＳ７５ａ）、穿孔位置情報がパンチ孔情報より小さい時（ステップＳ７５ａのＹＥＳ）は，穿孔位置情報によりパンチ孔を穿孔し（ステップＳ７６）、穿孔位置情報がパンチ孔情報より小さくない時（ステップＳ７５のＮＯ）は残度数がパンチする度数まで達していないためパンチせず終了する。
【００４１】
パンチフォーマットコードが１でないとき（ステップＳ７３ｂのＮＯ）の時は次にパンチフォーマットコードが２かどうかの参照を行う（ステップＳ７３ｃ）。
【００４２】
パンチフォーマットコードが２かどうかを参照した時（ステップＳ７３ｃ）同様に、パンチフォーマットコードが２であることが確認された時（ステップＳ７３ｃのＹＥＳ）は、次の処理として個別パンチフォーマットテーブル２４ｂの個別パンチテーブルＰ２を参照し、カード残度数より穿孔位置情報を取得し（ステップＳ７４ｂ）、穿孔位置情報がパンチ孔情報より小さいどうかを比較し（ステップＳ７５ｂ）、穿孔位置情報がパンチ孔情報より小さい時（ステップＳ７５ｂのＹＥＳ）は，穿孔位置情報によりパンチ孔を穿孔し（ステップＳ７６）、穿孔位置情報がパンチ孔情報より小さくない時（ステップＳ７５ａのＮＯ）は残度数がパンチする度数まで達していないためパンチせず終了する。
【００４３】
パンチフォーマットコードが２でないとき（ステップＳ７３ｃのＮＯ）の時は次にパンチフォーマットコードが０，１，２全ての場合を参照してないとしているため、エラーとし（ステップＳ７７）終了する。
【００４４】
図８はカード端末に未登録の種類の残度目安マークプリペイドカードの情報の新規登録処理について示したフローチャートである。
【００４５】
まず新規パンチフォーマットコードをパンチフォーマットテーブル２４ａに対し入力する（ステップＳ８１）。
【００４６】
次に新規の残度目安マークについて情報を個別パンチフォーマットテーブ２４ｂに対し入力を行い（ステップＳ８２）終了する。
【００４７】
図９（ａ）は新規の残度目安マークプリペイドカードのデータ（パンチフォーマットコード＝３）を入力した時のパンチフォーマット解析テーブル２４ａを表したものである。
【００４８】
図９（ｂ）は新規に追加された、残度目安マークプリペイドカードの詳細情報である個別パンチフォーマットテーブル２４ｂを表したものである。
【００４９】
尚、この際のデータ入力は上位機種からインターフェイス部２７を介して入力してもよいし、カード処理端末２０から直接入力してもよい。
【００５０】
また、本施例でパンチ穿孔の位置は片側だけとは、限らず双方にあるものに対しても適用できるのはいうまでもない。
【００５１】
本施例はパンチ孔の穿孔によるマーク付けの場合であるが、印字によるマーク付け（例えば、残度数に対する位置に所定のマークを印字する等）、レーザー溶融によるマーク付けを行っても良い。
【００５２】
【発明の効果】
以上、説明したように、本発明のカードシステムにおいては次のような効果がある。
【００５３】
（１）異なる種類の残度目安マークのプリペイドカードに対応したカード処理端末により、新しい種類のカードの導入の際の手間が省けるようになる。
【００５４】
（２）異なる残額目安マークのプリペイドカードの間の互換性を解決し、異なる店舗における共用ができるようになり、プリペイドカードの利用促進に繋がる。
【００５５】
（３）常にマーク位置とを比較しながら処理していくので改ざんされたカードの使用防止もできる。
【図面の簡単な説明】
【図１】本発明の残度目安マーク付きプリペイドカードの外観図である。
【図２】本発明のカードシステムのカード端末の機能ブロック図である。
【図３】本発明のカードシステムにおいて使われるプリペイドカードの記録エリアを表した一実施例である。
【図４】本発明の実施例におけるカードシステムのパンチフォーマットテーブルを表したものである。
【図５】本発明の実施例におけるカードシステムの個別パンチフォーマットテーブルを表したものである。
【図６】本発明の実施例におけるカードシステムにおけるプリペイドカードのデータをリードする際のフローチャートである。
【図７】本発明の実施例におけるカードシステムにおけるプリペイドカードのデータをライトの際のフローチャートである。
【図８】本発明の実施例におけるカードシステムにおいて新規の残度目安マークのプリペイドカードの情報を入力する際のフローチャートである。
【図９】図８において新規入力されたデータを格納したパンチフォーマット解析テーブルと個別パンチフォーマットテーブルを表したものである。
【符号の説明】
１０  プリペイドカード
２０  カード処理端末
２１  カード処理部
２１ａ  カード搬送部
２１ｂ  磁気読書部
２１ｃ  パンチ孔読取部
２２  磁気情報解析部
２３  磁気情報書換処理部
２４  パンチ情報解析部
２４ａ  パンチフォーマット解析テーブル
２４ｂ  個別パンチフォーマットテーブル
２５  パンチ処理部
２６  統合制御部
２７  インターフェイス部
３０  データ記録エリア
３１  パンチフォーマットコードエリア
３２  発行元コード
３３  残度データ
【図１】
0003568223.tif 000002
【図２】
0003568223.tif 000003
【図３】
0003568223.tif 000004
【図４】
0003568223.tif 000005
【図５】
0003568223.tif 000006
【図６】
0003568223.tif 000007
【図７】
0003568223.tif 000008
【図８】
0003568223.tif 000009
【図９】
0003568223.tif 000010